(57)【特許請求の範囲】
【請求項１】
ユーザ機器（ＵＥ）における周波数トラッキングのための方法であって、
ワイヤレスチャネルの１つまたは複数の特性に基づいて、前記ＵＥの周波数トラッキングループ（ＦＴＬ）のプルインレンジを超える周波数の変化を検出することと、
周波数の前記変化が検出されたことに応答して、トラッキング復元周波数を識別することと、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新することと
を備える、方法。
【請求項２】
周波数の前記変化を検出することは、周波数の前記変化が、それぞれのしきい値を超えたことを検出することを含む、請求項１に記載の方法。
【請求項３】
周波数の変化を検出することは、周波数の前記変化が、前記ＵＥの前記ＦＴＬの前記プルインレンジを超えたことを示す２つ以上の特性を検出することを含み、２つ以上の特性を検出することは、前記２つ以上の特性の各々が、それぞれのしきい値を超えたことを検出することを含む、請求項１に記載の方法。
【請求項４】
前記１つまたは複数の特性が、
前記ＦＴＬによって測定された瞬時周波数誤差変化、
前記ＵＥが２つのスタッガード基準シンボルからのチャネル推定値を組み合わせたときのデスタッガードチャネル推定値のイメージピーク、
同期シーケンスによって検出された周波数誤差、または
基準信号間の相関もしくは時間的に離れた同期信号に起因する位相変化、あるいはそれらの任意の組合せ
を含む、請求項１に記載の方法。
【請求項５】
トラッキング復元周波数を識別することは、
前記ＵＥの動作状態に基づいて、周波数仮定の前記セットを識別することと、
ＰＢＣＨ復号がそれについて成功した前記セットから、１つまたは複数の周波数仮定を識別することと、
前記１つまたは複数の周波数仮定から周波数仮定を選択することと、ここにおいて、選択された前記周波数仮定が、前記トラッキング復元周波数として使用される、
を含む、請求項１に記載の方法。
【請求項６】
前記ＵＥの前記動作状態が、
オフラインアイドルモード間欠受信（ＤＲＸ）、
オンラインアイドルモードＤＲＸまたは接続モード、
セルハンドオーバ、あるいは
セル再選択
のうちの１つである、請求項１に記載の方法。
【請求項７】
周波数仮定を選択することが、
前記１つまたは複数の周波数仮定の各々のためのエネルギーメトリックを決定することと、
前記１つまたは複数の周波数仮定のうちの前記周波数仮定として、前記１つまたは複数の周波数仮定の各々のための前記決定されたエネルギーメトリックの最大エネルギーメトリックをもつ１つを選択することと
を含む、請求項５に記載の方法。
【請求項８】
周波数仮定を選択することが、
前記１つまたは複数の周波数仮定の各々のためのエネルギーメトリックを決定することと、
前記１つまたは複数の周波数仮定のうちの２つまたはそれ以上の周波数仮定が、実質的に同様であるエネルギーメトリックを有するとき、前記周波数仮定として、前記２つまたはそれ以上の周波数仮定のうちの最も小さい絶対周波数をもつ１つの周波数仮定を選択することと
を含む、請求項５に記載の方法。
【請求項９】
ＰＢＣＨ復号は、復号された前記ＰＢＣＨが巡回冗長検査に合格したときに成功である、請求項５に記載の方法。
【請求項１０】
トラッキング復元周波数を識別することが、
前記ＵＥの動作状態のための周波数仮定の前記セットを識別することと、
前記セットからの前記周波数仮定のいずれも、成功したＰＢＣＨ復号をもたらさないと決定することと、
前記トラッキング復元周波数として、ゼロ（０）ヘルツを割り当てることと
を含む、請求項１に記載の方法。
【請求項１１】
前記ＵＥは、周波数の前記変化が検出されたとき、オフラインアイドルモード間欠受信（ＤＲＸ）スリープ中であり、前記方法は、
前記ＦＴＬをそれの現在の状態においてフリーズさせることと、
オフラインアイドルモードＤＲＸスリープから前記ＵＥを起動し、その後前記ＵＥをスリープに戻すことと、
オンラインアイドルモードＤＲＸにおいて前記ＵＥを起動することと、
前記オンラインアイドルモードＤＲＸにおいて、前記トラッキング復元周波数の前記識別と、前記トラッキング復元周波数を用いて前記ＦＴＬを更新することとを実行することと
をさらに備える、請求項１に記載の方法。
【請求項１２】
前記ＵＥは、周波数の前記変化が検出されたとき、オンラインアイドルモード間欠受信（ＤＲＸ）スリープ中である、または、
前記ＵＥは、周波数の前記変化が検出されたとき、セルハンドオーバ動作中である、請求項１に記載の方法。
【請求項１３】
前記ＵＥは、周波数の前記変化が検出されたとき、セル再選択動作中であり、前記方法は、
周波数の前記検出された変化として、ネイバーセルのＰＢＣＨ復号における失敗を識別することと、
前記ネイバーセルの前記失敗したＰＢＣＨ復号において使用された前記周波数仮定を除いた周波数仮定のセットを識別することと、
前記ネイバーセルのＰＢＣＨ復号がそれについて成功した前記セットから、１つまたは複数の周波数仮定を識別することと、
前記１つまたは複数の周波数仮定から周波数仮定を選択することと、ここにおいて、前記周波数仮定が、前記トラッキング復元周波数として使用され、ここにおいて、前記トラッキング復元周波数を用いて前記ＦＴＬを更新することは、前記ＵＥが前記ネイバーセルに対して再選択した後に、前記トラッキング復元周波数を用いて前記ＦＴＬを初期化することを含む、
をさらに備える、請求項１に記載の方法。
【請求項１４】
ユーザ機器（ＵＥ）における周波数トラッキングのための装置であって、
前記ＵＥの周波数トラッキングループ（ＦＴＬ）のプルインレンジを超える周波数の変化を検出するための手段と、
周波数の前記変化が検出されたことに応答して、トラッキング復元周波数を識別するための手段と、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新するための手段と
を備える、装置。
【請求項１５】
ユーザ機器（ＵＥ）における周波数トラッキングのためのコンピュータ実行可能コードを記憶するコンピュータ可読媒体であって、
前記ＵＥの周波数トラッキングループ（ＦＴＬ）のプルインレンジを超える周波数の変化を検出するためのコードと、
周波数の前記変化が検出されたことに応答して、トラッキング復元周波数を識別するためのコードと、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新するためのコードと
を備える、コンピュータ可読媒体。
【発明の詳細な説明】
【技術分野】
【０００１】
優先権の主張
[0001]本特許出願は、本出願の譲受人に譲渡され、その全体が参照により本明細書に明確に組み込まれる、２０１５年７月１４日に出願された「FREQUENCY ERROR DETECTION WITH PBCH FREQUENCY HYPOTHESIS」と題する非仮出願第１４／７９９，５１５号、および２０１４年８月１９日に出願された「FREQUENCY ERROR DETECTION WITH PBCH FREQUENCY HYPOTHESIS」と題する仮出願第６２／０３９，２８４号の優先権を主張する。
【０００２】
[0002]本開示は、一般に通信システムに関し、より詳細には、物理ブロードキャストチャネル（ＰＢＣＨ）周波数仮定を用いた周波数誤差検出に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]いくつかのワイヤレス通信ネットワークでは、ユーザ機器（ＵＥ）は、いくつかのシナリオにおいて起こる周波数の変化が、周波数トラッキングループ（ＦＴＬ：frequency tracking loop）のプルインレンジ（pull-in range）を超えることがあるので、通信周波数を検出およびトラッキングすることができないことがある。そのようなシナリオでは、大きい周波数誤差により、ＵＥは、アウトオブサービス（ＯＯＳ：out of service）になるかまたは無線リンク失敗（ＲＬＦ）を宣言しなければならなくなり、そうしなければならないことによって招かれたオーバーヘッドとともに、初期収集プロシージャの繰り返しを必要とし得る。したがって、周波数トラッキング復元の改善が望まれる。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]一態様によれば、ＵＥにおける周波数トラッキングに関する本方法について説明し、本方法は、ワイヤレスチャネルの１つまたは複数の特性に基づいて、ＵＥのＦＴＬのプルインレンジを超える周波数の変化を検出することと、周波数の変化が検出されたことに応答して、トラッキング復元周波数（tracking recovery frequency）を識別することと、ここにおいて、トラッキング復元周波数（tracking recover frequency）が、周波数仮定のセットから識別され、ＵＥによって受信されたＰＢＣＨの復号に基づく、トラッキング復元周波数を用いてＦＴＬを更新することとを備える。
【０００８】
[0008]別の態様では、ＵＥのＦＴＬのプルインレンジを超える周波数の変化を検出するためのコードと、周波数の変化が検出されたことに応答して、トラッキング復元周波数を識別するためのコードと、ここにおいて、トラッキング復元周波数が、周波数仮定のセットから識別され、ＵＥによって受信されたＰＢＣＨの復号に基づく、トラッキング復元周波数を用いてＦＴＬを更新するためのコードとを備える、ＵＥにおける周波数トラッキングのためのコンピュータ実行可能コードを記憶するコンピュータ可読媒体について説明する。
【０００９】
[0009]さらなる態様では、ＵＥにおける周波数トラッキングに関する装置について説明し、本装置は、ＵＥのＦＴＬのプルインレンジを超える周波数の変化を検出するための手段と、周波数の変化が検出されたことに応答して、トラッキング復元周波数を識別するための手段と、ここにおいて、トラッキング復元周波数が、周波数仮定のセットから識別され、ＵＥによって受信されたＰＢＣＨの復号に基づく、トラッキング復元周波数を用いてＦＴＬを更新するための手段とを備える。
【００１０】
[0010]別の態様では、ＵＥにおける周波数トラッキングに関する装置について説明し、本装置は、ＵＥのＦＴＬのプルインレンジを超える周波数の変化を検出するように構成された検出器と、周波数の変化が検出されたことに応答して、トラッキング復元周波数を識別するように構成された周波数識別器と、ここにおいて、トラッキング復元周波数が、周波数仮定のセットから識別され、ＵＥによって受信されたＰＢＣＨの復号に基づく、トラッキング復元周波数を用いてＦＴＬを更新するように構成されたＦＴＬアップデータとを備える。
【００１１】
[0011]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１２】
[0012]本開示の特徴、性質、および利点は、全体を通じて同様の参照符号が同様のものを指す図面とともに、以下に記載する発明を実施するための形態を読めばより明らかになろう。
【図面の簡単な説明】
【００１３】
【図１】[0013]本開示の一態様による、ネットワークアーキテクチャの一例を示す図。
【図２】[0014]本開示の一態様による、アクセスネットワークの一例を示す図。
【図３】[0015]本開示の一態様による、ＬＴＥにおけるＤＬフレーム構造の一例を示す図。
【図４】[0016]本開示の一態様による、ＬＴＥにおけるＵＬフレーム構造の一例を示す図。
【図５】[0017]本開示の一態様による、ユーザおよび制御プレーンのための無線プロトコルアーキテクチャの一例を示す図。
【図６】[0018]本開示の一態様による、アクセスネットワーク中の発展型ノードＢおよびユーザ機器の一例を示す図。
【図７】[0019]ＰＢＣＨベース周波数誤差検出構成要素の一態様を含む通信ネットワークの概略図。
【図８】[0020]本開示の一態様、たとえば、図７による、周波数トラッキング復元の一態様のフローチャート。
【図９】[0021]本開示の一態様、たとえば、図７による、周波数トラッキング復元の別の態様のフローチャート。
【図１０】[0022]本開示の一態様、たとえば、図７による、例示的な装置中の異なるモジュール／手段／構成要素間のデータフローを示す概念データフロー図。
【図１１】[0023]本開示の一態様、たとえば、図７による、処理システムを採用する装置のためのハードウェア実装形態の一例を示す図。
【発明を実施するための形態】
【００１４】
[0024]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００１５】
[0025]次に、様々な装置および方法に関して電気通信システムのいくつかの態様が提示される。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１６】
[0026]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0027]したがって、１つまたは複数の例示的な態様では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００１８】
[0028]本態様は、一般に、ＰＢＣＨ周波数仮定を用いた周波数誤差検出に関する。ＵＥにおける周波数トラッキングループ（ＦＴＬ）は、限られたプルインレンジを有する。いくつかの事例では、プルインレンジは、たとえば、トラッキングレンジまたはロックインレンジと呼ばれることもある。ＵＥは、周波数変化がＦＴＬのプルインレンジを超えた場合、周波数変化を検出およびトラッキングすることができないことがある。これが起こったとき、いくつかの周波数仮定を用いてＰＢＣＨを復号することは、大きい周波数変化の後に周波数トラッキングを急速に復元する信頼できるソリューションを与え得る。この手法は、ＵＥが初期収集プロシージャ全体を繰り返すことを必要とする、アウトオブサービス（ＯＯＳ）または無線リンク失敗（ＲＬＦ）をＵＥが宣言することに関連するオーバーヘッドを回避し得る。
【００１９】
[0029]したがって、本方法および装置は、ＵＥ周波数トラッキング機能の周波数推定レンジを拡張するために、１つまたは複数のＰＢＣＨ周波数仮定を使用することを伴い得る。周波数変化がＦＴＬのプルインレンジを超えたことを示すいくつかの状態および／または特性下では、ＰＢＣＨ復号は、複数の周波数仮定を用いてトリガされ得る。概して、合格した巡回冗長検査（ＣＲＣ）を有する周波数仮定が、周波数トラッキングループをリセットするために使用され得る。
【００２０】
[0030]図１は、様々な装置を採用するワイヤレスネットワークアーキテクチャ１００を示す図である。ネットワークアーキテクチャ１００は、発展型パケットシステム（ＥＰＳ：Evolved Packet System）１０１を含み得る。ＥＰＳ１０１を実装するシステムの一例は、ロングタームエボリューション（ＬＴＥ）システムである。ＬＴＥは、第３世代パートナーシッププロジェクト（３ＧＰＰ）によって公表されたユニバーサルモバイルテレコミュニケーションズシステム（ＵＭＴＳ）モバイル規格の拡張のセットである。ＥＰＳ１０１は、１つまたは複数の周波数仮定を用いたＰＢＣＨ復号を使用することによって大きい周波数誤差が起こったとき、周波数トラッキング復元を実行するように構成されたＰＢＣＨベース周波数誤差検出構成要素７２０（図７）を含み得る、１つまたは複数のＵＥ１０２を含み得る。ネットワークアーキテクチャ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳ１０１は、パケット交換コア（ＰＳコア）１２８、回線交換コア（ＣＳコア）１３４など、他のアクセスネットワークと相互接続することができる。示されているように、ＥＰＳ１０１はパケット交換サービスを与えるが、当業者が容易に諒解するように、本開示全体にわたって提示される様々な概念は、ＣＳコア１３４に関連するネットワークなど、回線交換サービスを与えるネットワークに拡張され得る。
【００２１】
[0031]ネットワークアーキテクチャ１００は、パケット交換ネットワーク１０３をさらに含み得る。ネットワーク１０３は、ＣＤＭＡ２０００規格ファミリーのいずれかを使用して実装され得る。エボリューションデータオプティマイズド（ＥＶ−ＤＯ：Evolution-Data Optimized）またはウルトラモバイルブロードバンド（ＵＭＢ：Ultra Mobile Broadband）。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。一態様では、パケット交換ネットワーク１０３は、基地局１０８と、基地局コントローラ１２４と、サービングＧＰＲＳサポートノード（ＳＧＳＮ）１２６と、ＰＳコア１２８と、組み合わせられたＧＰＲＳサービスノード（ＣＧＳＮ）１３０とを含み得る。
【００２２】
[0032]Ｅ−ＵＴＲＡＮは発展型ノードＢ（ｅＮＢ）１０６を含み得、パケットおよび回線交換ネットワークなど、他のネットワークへの接続が、モビリティ管理エンティティ（ＭＭＥ）１１２を通して実現され得る。さらに、ＭＭＥ１１２とＳＧＳＮ１２６との間の接続を通して、論理接続がｅＮＢ１０６とＲＮＣ１２４との間で確立され得る。ｅＮＢ１０６は、ＵＥ１０２に対してユーザプレーンプロトコル終端と制御プレーンプロトコル終端とを与える。ｅＮＢ１０６は、Ｘ２インターフェース（すなわち、バックホール）を介して他のｅＮＢ１０６に接続され得る。ｅＮＢ１０６は、当業者によって、基地局、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。
【００２３】
[0033]ＵＥ１０２の例としては、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。その上、ＵＥ１０２は、１つまたは複数の周波数仮定を用いたＰＢＣＨ復号を使用することによって大きい周波数誤差が起こったとき、周波数トラッキング復元を実行するように構成されたＰＢＣＨベース周波数誤差検出構成要素７２０（図７）を含み得る。
【００２４】
[0034]ｅＮＢ１０６はＳ１インターフェースによってＥＰＣ１１０に接続される。ＥＰＣ１１０は、ＭＭＥ１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２５】
[0035]事業者が、ＬＴＥベースネットワークを最初に展開するとき、システム１００は、ＬＴＥネットワーク１０１を用いたホットスポットを含み（たとえば、３ＧＰＰカバレージ）、より広いカバレージが、２ｘ／ＤＯネットワーク１０３を通して与えられ得る（たとえば、３ＧＰＰ２カバレージ）。マルチモードＵＥ１０２は、利用可能なネットワークを周期的に走査し、より良いネットワークが利用可能であるかどうかを決定し、より良いネットワークが利用可能である場合にそのネットワークに切り替えるために、ＢＳＲプロシージャを使用する。現在、ＢＳＲは、ＬＴＥ＋２ｘ／ＤＯマルチモードＵＥ１０２においてプロビジョニングされたマルチモードシステム選択ファイル（ＭＭＳＳファイル）に記憶された優先度ルールの使用によって達成され得る。ファイル内で、システムは、モバイル国コード（ＭＣＣ）を使用してグループ化され得る。したがって、ＵＥ１０２は、ＬＴＥカバレージのないエリア中でさえＢＳＲプロシージャを実行し得る。
【００２６】
[0036]図２は、本明細書で説明するように、１つまたは複数のＵＥ２０６が各々、ＰＢＣＨベース周波数誤差検出構成要素７２０（図７）を含み得る、ＬＴＥネットワークアーキテクチャにおけるアクセスネットワーク２００の一例を示す図である。この例では、アクセスネットワーク２００は、いくつかのセルラー領域（セル）２０２および２０３に分割される。一態様では、セル２０２は、ＬＴＥおよびＧＳＭ（登録商標）カバレージを与えるように構成され得、セル２０３は、ＧＳＭカバレージのみのために構成され得る。ただし、他の構成も可能であり得る。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２７】
[0037]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。
【００２８】
[0038]これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２９】
[0039]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００３０】
[0040]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３１】
[0041]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３２】
[0042]図３は、本明細書で説明するように、ＰＢＣＨベース周波数誤差検出構成要素７２０（図７）を含み得るＵＥ７０２（図７）など、ＵＥによって受信され得る、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＰＢＣＨベース周波数誤差検出構成要素７２０を含む図７のそのようなＵＥ７０２、ＵＥが受信するリソースブロックが多いほど、また変調方式が高いほど、ＵＥのデータレートは高くなる。
【００３３】
[0043]図４は、本明細書で説明するように、ＰＢＣＨベース周波数誤差検出構成要素７２０（図７）を含み得るＵＥ７０２（図７）など、ＵＥによって送信され得る、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３４】
[0044]ＰＢＣＨベース周波数誤差検出構成要素７２０を含むＵＥ７０２（図７）など、ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３５】
[0045]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００３６】
[0046]図５は、ＬＴＥにおけるユーザプレーンおよび制御プレーンのための無線プロトコルアーキテクチャの一例を示す図５００である。無線プロトコルアーキテクチャは、ＰＢＣＨベース周波数誤差検出構成要素７２０を含み得るそのようなＵＥ７０２（図７）、ＵＥ、およびｅＮＢによって使用され得、無線アーキテクチャは、レイヤ１、レイヤ２、およびレイヤ３という３つのレイヤを含む。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３７】
[0047]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３８】
[0048]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はＨＡＲＱ動作をも担当する。
【００３９】
[0049]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４０】
[0050]図６は、アクセスネットワーク中でＵＥ６５０と通信しているｅＮＢ６１０のブロック図である。ＵＥ６５０は、図７のＰＢＣＨベース周波数誤差検出構成要素７２０を含むＵＥ７０２と同じまたは同様であり得る。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４１】
[0051]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４２】
[0052]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。
【００４３】
[0053]ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００４４】
[0054]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００４５】
[0055]ＵＬでは、データソース６６７が、コントローラ／プロセッサ６５９に上位レイヤパケットを与えるために使用される。データソース６６７はＬ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４６】
[0056]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４７】
[0057]ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４８】
[0058]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００４９】
[0059]ＵＥにおける周波数トラッキングに関して上述したように、ＵＥが、ワイヤレス通信において使用される周波数をトラッキングしているときに起こり得る問題は、ＵＥの周波数トラッキングループまたはＦＴＬが、限られたプルインレンジを有することである。プルインレンジは、正確にトラッキングされ得る周波数のレンジを指すことがある。したがって、いくつかのシナリオまたは状態では、ＵＥは、周波数変化がＦＴＬのプルインを超えたとき、周波数の変化を検出およびトラッキングすることができないことがある。第１の例示的なシナリオでは、ＵＥは、（たとえば、高モビリティ状況により）ドップラー周波数遷移が起こったとき、スリープ状態またはモードにあり得、ここで、ドップラー周波数は、予想されるキャリア周波数からの周波数の偏差を指すことがある。そのような場合、ピークドップラー周波数は、ＦＴＬプルインレンジの１／２よりも大きいことがあり、ＵＥは、ドップラー周波数の符号が、ＵＥスリープ状態中に反転した場合、ＦＴＬのプルインレンジを超える周波数誤差まで起動し得る。この状態は、アタッチ失敗またはページ復号失敗につながる周波数推定の誤差を生じ得る。
【００５０】
[0060]第２の例示的なシナリオでは、接続モードにあるときのＵＥハンドオーバの場合、サービングセルとターゲットセルとの間のドップラー周波数差がＦＴＬのプルインレンジを超えたとき、ＦＴＬは、新しいセルへのＵＥハンドオーバの後に、エイリアス化され得る。エイリアス化することは、大きい周波数誤差のためにＦＴＬが周波数をトラッキングすることができないことにより、矛盾するかまたはさもなければ不正確な周波数値または示度が生じることを指すことがある。たとえば、大きい周波数誤差は、トラッキングされる周波数が、プルインレンジの一端からプルインレンジの反対端に跳躍（jump）すること、すなわち、一般に予想される、より漸進的な周波数変化に一致しない変化を生じ得る。
【００５１】
[0061]第３の例示的なシナリオでは、アイドルモードにおけるＵＥ再選択の場合、サービングセルとターゲットセルとの間のドップラー周波数差がＦＴＬのプルインレンジを超えたとき、ＦＴＬは、ＵＥが新しいセルに対して再選択した後に、エイリアス化され得る。
【００５２】
[0062]第４の例示的なシナリオでは、ＵＥは、リピータシナリオにあり得、ＥノードＢとの通信のために使用される２つの異なるアンテナから同じダウンリンク信号を受信し得る。２つのリピータ間のドップラー周波数差がＦＴＬのプルインレンジを超えたとき、ＦＴＬは、ＵＥが２つのリピータ間の中間点を越えた後、すなわち、入来リピータからの信号が、ＵＥがそれから離れているリピータよりも強くなった後、エイリアス化され得る。
【００５３】
[0063]これらおよび同様のシナリオに対処するために、ＰＢＣＨを復号するための様々な周波数仮定を試してみることが、ＵＥの周波数推定レンジを効果的に拡張するために使用され得る。上述のように、急速なドップラー周波数変化によるＦＴＬエイリアスを回避するために対処される必要があり得る例示的なシナリオは、それらに限定される必要はないが、（１）ＵＥがオフラインアイドルモードＤＲＸスリープから起動すること、（２）ＵＥがオンラインアイドルモードＤＲＸスリープから起動するかまたはＵＥが接続モードにあること、（３）セルハンドオーバ、および（４）セル再選択を含み得る。ＰＢＣＨベース手法を使用することは、大きいまたは広い周波数レンジ検出を生じ得、ここで、性能は、概して、それのための仮定がＣＲＣに合格した周波数を使用することによって保証される。しかしながら、ＰＢＣＨベース手法は、ＰＢＣＨ復号を実行する必要のために、電力および遅延オーバーヘッドを伴い得る。
【００５４】
[0064]このオーバーヘッドを低減または制限するための１つの方法は、いくつかの状態下でＰＢＣＨベース検出をトリガすることであり得る。たとえば、ＰＢＣＨベース検出は、瞬時周波数誤差の推定値がしきい値を超えたか、またはダウンリンクタイミングがドリフトし続ける場合にトリガされ得る。瞬時周波数またはＩＦは、時間に関する信号の位相の導関数または偏導関数を指すことがある。また、少なくとも１つの仮定がＣＲＣにすでに合格した場合、新しいまたは追加の周波数仮定がスケジュールされる必要はない。以下、すなわち、（１）ＦＴＬによって測定された瞬時周波数誤差の急激な大きい跳躍、（２）ＵＥが２つのスタッガード（staggered）基準シンボル（たとえばシンボル０および４）からの未加工チャネル推定値を組み合わせたときのデスタッガード（destaggered）チャネル推定値における大きいイメージピーク、（３）同期シーケンスによって検出された大きい周波数誤差、および（４）基準信号間の相関または時間的に離れている同期信号から検出された大きい急激な位相跳躍（たとえば、相関は実正数でない）は、周波数変化がＦＴＬのプルインレンジを超え、周波数トラッキングがもはや正確でないとき、ＰＢＣＨベース誤差／周波数検出をトリガするために使用され得る状態または特性のタイプの例である。
【００５５】
[0065]これらおよび同様の状態または特性の各々は、それ自体によって、それぞれのしきい値を超えることによって、ＰＢＣＨベース誤差／周波数検出をトリガし得る。しかしながら、いくつかの事例では、ＰＢＣＨベース動作をトリガするために、複数の特性が使用され得る。そのような場合、複数の特性のうちの１つのためのそれぞれのしきい値は、その同じ特性が単独でＰＢＣＨベース動作をトリガするであろうときのその特性のためのそれぞれのしきい値とは異なり得る。
【００５６】
[0066]図７を参照すると、一態様では、ワイヤレス通信システム７００は、少なくとも１つのネットワークエンティティ７０４および／またはネットワークエンティティ７０６の通信カバレージ中の少なくとも１つのＵＥ７０２を含む。ＵＥ７０２は、ネットワークエンティティ７０４および／またはネットワークエンティティ７０６を介してネットワーク７０８と通信し得る。他の態様では、ＵＥ７０２を含む複数のＵＥが、ネットワークエンティティ７０４および／またはネットワークエンティティ７０６を含む１つまたは複数のネットワークエンティティをもつ通信カバレージ中にあり得る。一態様では、ネットワークエンティティ７０４は、ＬＴＥカバレージとＧＳＭカバレージの両方を与えるように構成され得る。たとえば、ＵＥ７０２は、アップリンクおよびダウンリンクのうちの一方または両方上で、それぞれ、１つまたは複数の通信チャネル７１１および／または７１２上でまたはそれを使用して、ネットワークエンティティ７０４および／またはネットワークエンティティ７０６と通信し得る。そのような態様では、通信チャネル７１１および／または７１２は、１つまたは複数の技術タイプ（たとえば、ＬＴＥ）に基づいて通信を利用または可能にし得る。
【００５７】
[0067]ＵＥ７０２は、ネットワークエンティティにおいて含まれるかまたは展開される、１つまたは複数のセルと通信し得ることを理解されたい。他の態様では、ネットワークエンティティ７０４は代替的にセルと呼ばれることがあり、ＵＥ７０２は、そのセルとＲＲＣ接続状態を維持する。その上、ネットワークエンティティ７０６は、代替的に基地局と呼ばれることがある。さらに、ＵＥ７０２は、１つまたは複数の通信チャネル７１１上でネットワークエンティティ７０４におよび／またはそれからワイヤレス通信を送信および／または受信し得る。
【００５８】
[0068]いくつかの態様では、ＵＥ７０２は、当業者によって（ならびに本明細書において互換的に）、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、ワイヤレス送信／受信ユニット、または何らかの他の好適な用語で呼ばれることもある。
【００５９】
[0069]さらに、ネットワークエンティティ７０４および／またはネットワークエンティティ７０６は、マクロセル、スモールセル、ピコセル、フェムトセル、アクセスポイント、リレー、基地局、ノードＢ、モバイルノードＢ、（たとえば、ＵＥ７０２とピアツーピアまたはアドホックモードで通信する）ＵＥ、またはＵＥ７０２においてワイヤレスネットワークアクセスを与えるためにＵＥ７０２と通信することができる実質的に任意のタイプの構成要素であり得る。
【００６０】
[0070]本態様によれば、ＵＥ７０２は、ＰＢＣＨ周波数仮定を用いて大きい周波数誤差検出を実行するように構成された様々な構成要素および／または副構成要素を含み得る、ＦＴＬ７１０とＰＢＣＨベース周波数誤差検出構成要素７２０とを含み得る。ＰＢＣＨベース周波数誤差検出構成要素７２０の様々な構成要素および／または副構成要素のうちのオンまたは複数は、ソフトウェア、ハードウェア、および／またはファームウェアで実装され得る。詳細には、ＰＢＣＨベース周波数誤差検出構成要素７２０は、周波数変化がＦＴＬ７１０のプルインレンジを超えたのでＦＴＬ７１０が周波数変化をトラッキングすることができないとき、周波数トラッキングを復元するためにＦＴＬ７１０を調整、更新、および／または初期化するように構成され得る。
【００６１】
[0071]一態様では、ＰＢＣＨベース周波数誤差検出構成要素７２０は、しきい値７３２と特性タイプ７３４とを有する検出器７３０を含み得る。ＰＢＣＨベース周波数誤差検出構成要素７２０は、周波数仮定のセット７４２と、エネルギーメトリック７４４と、トラッキング復元周波数７４６とを有する周波数識別器７４０をも含み得る。ＰＢＣＨベース周波数誤差検出構成要素７２０は、ＦＴＬアップデータ７５０と、動作状態７６０と、ＰＢＣＨ７７２を有するＰＢＣＨデコーダ７７０とをさらに含み得る。
【００６２】
[0072]検出器７３０は、ＦＴＬ７１０のプルインレンジを超える周波数の変化を検出するように構成され得る。周波数識別器７４０は、周波数の変化が検出されたことに応答して、トラッキング復元周波数７４６を識別するように構成され得、ここにおいて、トラッキング復元周波数７４６は、周波数仮定のセット７４２から識別され、ここにおいて、トラッキング復元周波数７４６は、ＵＥ７０２によって受信されたＰＢＣＨ７７２の復号に基づいて識別される。ＰＢＣＨ７７２は、ＰＢＣＨデコーダ７７０によって復号され得る。ＦＴＬアップデータ７５０は、トラッキング復元周波数７４６を用いてＦＴＬ７１０を更新するように構成され得る。
【００６３】
[0073]別の態様では、検出器７３０によって周波数の変化を検出することは、ワイヤレスチャネルの１つまたは複数の特性に基づいて、周波数の変化がそれぞれのしきい値７３２を超えたことを検出することを含み得る。さらに、周波数の変化を検出することは、ＦＴＬ７１０のプルインレンジを超える周波数の変化を示す２つ以上の特性を検出することを含み得る。２つ以上の特性を検出することは、２つ以上の特性の各々が、それぞれのしきい値７３２を超えたことを検出することを含み得る。考慮され得る特性は、特性タイプ７３４に記憶されるかまたはさもなければその中で識別され得、ＦＴＬ７１０によって測定された瞬時周波数誤差の変化、ＵＥ７０２が２つのスタッガード基準シンボルからのチャネル推定値を組み合わせたときのデスタッガードチャネル推定値のイメージピーク、同期シーケンスによって検出された周波数誤差、または基準信号間の相関もしくは時間的に離れた同期信号に起因する位相の変化、あるいはそれらの任意の組合せを含み得る。一態様では、たとえば、２つのスタッガード基準シンボルは、リソース要素（ＲＥ）の異なるセット上で基準信号を搬送し得る。ＬＴＥ信号の周波数分解能を十分に活用するために、スタッガード基準シンボルの上の基準信号ＲＥの組み合わせられたセット上で、チャネル推定が実行される必要がある。このプロシージャは、デスタッガードチャネル推定値を生成する。周波数誤差の存在下で、デスタッガードチャネル推定値は、実チャネルピークからの距離の半分のエネルギースパイクであるイメージを含み得る。周波数誤差に応じて、イメージは、実チャネルピークよりも強いことがあるか、またはチャネルピークからのすべてのエネルギーを吸収することがある。マルチパスチャネルの場合、実チャネルおよびイメージは、エネルギースパイクのクラスタとして現れることがある。上述のように、２つ以上の特性がＰＢＣＨベース動作をトリガすると考えられるとき、それぞれのしきい値７３２が使用され得る。唯一のトリガである特性のためのそれぞれのしきい値７３２は、同じ特性が、ＰＢＣＨベース動作をトリガする特性のグループの一部であるときのその特性のためのそれぞれのしきい値７３２とは異なり得る。
【００６４】
[0074]別の態様では、周波数仮定のセット７４２中の周波数仮定の数（Ｎ）と、周波数仮定のセット７４２中の周波数仮定間の間隔とは、ＵＥ７０２の動作状態７６０に基づき得る。
【００６５】
[0075]また別の態様では、周波数識別器７４０は、ＵＥ７０２の動作状態７６０に基づいて、周波数仮定のセット７４２を識別することと、ＰＢＣＨ復号がそれについて成功した周波数仮定のセット７４２から、１つまたは複数の周波数仮定を識別することと、１つまたは複数の周波数仮定から周波数仮定を選択することと、ここにおいて、選択された周波数仮定は、トラッキング復元周波数７４６として使用される、を行うようにさらに構成され得る。ＰＢＣＨ復号は、復号されたＰＢＣＨがＰＢＣＨデコーダ７７０における巡回冗長検査に合格したときに成功であり得る。
【００６６】
[0076]別の態様では、ＵＥ７０２によってサポートされる動作状態７６０は、オフラインアイドルモード間欠受信（ＤＲＸ）、オンラインアイドルモードＤＲＸまたは接続モード、セルハンドオーバ、あるいはセル再選択のうちの１つまたは複数であり得る。
【００６７】
[0077]周波数識別器７４０は、１つまたは複数の周波数仮定の各々のためのエネルギーメトリック７４４を決定することと、１つまたは複数の周波数仮定のうちの周波数仮定として、最大エネルギーメトリック７４４をもつ１つを選択することとによって、周波数仮定を選択するように構成され得る。いくつかの事例では、周波数仮定を選択することは、１つまたは複数の周波数仮定の各々のためのエネルギーメトリック７４４を決定することと、１つまたは複数の周波数仮定のうちの２つまたはそれ以上の周波数仮定が、実質的に同様であるエネルギーメトリックを有するとき、周波数仮定として、２つまたはそれ以上の周波数仮定のうちの最も小さい絶対周波数をもつ１つの周波数仮定を選択することとを含み得る。
【００６８】
[0078]また別の態様では、周波数識別器７４０は、動作状態７６０のための周波数仮定のセット７４２を識別することと、周波数仮定のセット７４２からの周波数仮定のいずれも、成功したＰＢＣＨ復号をもたらさないと決定することと、トラッキング復元周波数７４６として、ゼロ（０）ヘルツを割り当てることとによって、トラッキング復元周波数７４６を識別するようにさらに構成され得る。
【００６９】
[0079]また別の態様では、周波数の変化が検出されたとき、ＵＥ７０２がオフラインアイドルモード間欠受信（ＤＲＸ）スリープ（たとえば、動作状態７６０）中である場合、ＰＢＣＨベース周波数誤差検出構成要素７２０は、ＦＴＬ７１０をそれの現在の状態においてフリーズさせることと、オフラインアイドルモードＤＲＸスリープからＵＥ７０２を起動し、その後ＵＥ７０２をスリープに戻すことと、オンラインアイドルモードＤＲＸにおいてＵＥ７０２を起動することと、オンラインアイドルモードＤＲＸにおいて、トラッキング復元周波数７４６の識別と、トラッキング復元周波数７４６を用いたＦＴＬ７１０の更新とを実行することとを行うように構成され得る。
【００７０】
[0080]別の態様では、ＵＥ７０２は、周波数の変化が検出器７３０によって検出されたとき、オンラインアイドルモードＤＲＸスリープ（たとえば、動作状態７６０）中であり得る。また別の態様では、ＵＥ７０２は、周波数の変化が検出器７３０によって検出されたとき、セルハンドオーバ動作（たとえば、動作状態７６０）中であり得る。
【００７１】
[0081]別の態様では、周波数の変化が検出されたとき、ＵＥ７０２がセル再選択動作（たとえば、動作状態７６０）中である場合、ＰＢＣＨベース周波数誤差検出構成要素７２０および／または周波数識別器７４０は、検出された特性として、ネイバーセルのＰＢＣＨ復号における失敗を識別することと、ネイバーセルの失敗したＰＢＣＨ復号において使用された周波数仮定を除いた周波数仮定のセット７４２を識別することと、ネイバーセルのＰＢＣＨ復号がそれについて成功したセットから、１つまたは複数の周波数仮定を識別することと、１つまたは複数の周波数仮定から周波数仮定を選択することと、ここにおいて、周波数仮定は、トラッキング復元周波数７４６として使用され、ここにおいて、トラッキング復元周波数７４６を用いてＦＴＬ７１０を更新することは、ＵＥ７０２がネイバーセルに対して再選択した後に、トラッキング復元周波数７４６を用いてＦＴＬ７１０を初期化することを含む、を行うように構成され得る。
【００７２】
[0082]上記で説明した様々なシナリオは、図７中のＰＢＣＨベース周波数誤差検出構成要素７２０に鑑みてより詳細に説明され得る。たとえば、ＵＥ７０２がオフラインアイドルモードＤＲＸ動作状態７６０中であるシナリオの場合、（１つまたは複数の）トリガ特性（たとえば、瞬時周波数誤差）がそれぞれのしきい値７３２よりも小さい場合、ＵＥ７０２は、続いて、通常オフラインＤＲＸ処理を終了する。一方、（１つまたは複数の）トリガ特性の絶対値がそれぞれのしきい値よりも大きい場合、ＰＢＣＨベースの大きい周波数検出がトリガされる。そのような場合、ＦＴＬ７１０は、特性がトリガされると、更新することを停止する。ＦＴＬ７１０は、ＰＢＣＨ復号がＰＢＣＨデコーダ７７０によって終了され、ＦＴＬ７１０がＦＴＬアップデータ７５０によって更新されるまで、フリーズされ続ける。ＰＢＣＨサンプルからの周波数誤差は、ＦＴＬ７１０が、トラッキング復元周波数７４６を用いて更新される瞬間におけるＦＴＬ７１０の状態に整合および一致している必要がある。したがって、ＦＴＬ７１０は、ＰＢＣＨベース周波数検出および補正が完了した後、再アクティブ化される必要がある。オフラインからオンラインへの切替えがサポートされない場合、オフライン起動は終了され、ＵＥ７０２はスリープに戻される。次いで、ＵＥ７０２は、大きい周波数誤差が検出器７３０によって検出された場合、オンラインモードにおいて強制的に早期起動される。オフラインからオンラインへの切替えがサポートされる場合、ＵＥ７０２は、オフラインモードからオンラインモードに直接切り替えられる。この時点で、ＰＢＣＨベース誤差検出は、Ｎ個の異なる周波数仮定（たとえば、周波数仮定のセット７４２）を用いてスケジュールされる。次いで、トラッキング復元周波数７４６として使用されるべき周波数仮定が、エネルギーメトリック７４４に基づいて選択される（たとえば、最大エネルギーメトリック７４４が選択されるか、または複数の仮定が同様のエネルギーメトリックを有するとき、最も小さい絶対周波数をもつ１つが選択される）。どの周波数仮定もＣＲＣに合格しなかった場合、０Ｈｚがトラッキング復元周波数７４６として使用される。トラッキング復元周波数７４６が識別されると、ＦＴＬ７１０は、トラッキング復元周波数７４６に基づいてアクティブ化され得る。
【００７３】
[0083]別の例では、ＵＥ７０２がオンラインアイドルモードＤＲＸまたは接続モード動作状態７６０中であるシナリオの場合、ならびにセルハンドオーバ動作状態７６０の場合、（１つまたは複数の）トリガ特性（たとえば、瞬時周波数誤差）がそれぞれのしきい値７３２よりも小さい場合、ＵＥ７０２は、通常処理を終了し続ける。一方、（１つまたは複数の）トリガ特性の絶対値がそれぞれのしきい値よりも大きい場合、ＰＢＣＨベースの大きい周波数検出がトリガされる。この時点で、ＰＢＣＨベース誤差検出は、Ｎ個の異なる周波数仮定（たとえば、周波数仮定のセット７４２）を用いてスケジュールされる。次いで、トラッキング復元周波数７４６として使用されるべき周波数仮定が、エネルギーメトリック７４４に基づいて選択される（たとえば、最大エネルギーメトリック７４４が選択されるか、または複数の仮定が同様のエネルギーメトリックを有するとき、最も小さい絶対周波数をもつ１つが選択される）。どの周波数仮定もＣＲＣに合格しなかった場合、０Ｈｚがトラッキング復元周波数７４６として使用される。トラッキング復元周波数７４６が識別されると、ＦＴＬ７１０は、トラッキング復元周波数７４６に基づいてアクティブ化され得る。
【００７４】
[0084]また別の例では、ＵＥ７０２がセル再選択動作状態７６０中であるシナリオの場合、ＦＴＬ７１０は、ターゲットセルのマスタ情報ブロック（ＭＩＢ）を得るためにネイバーセルＰＢＣＨが復号される前に、利用可能でないことがある。したがって、ＦＴＬ７１０のプルインレンジが周波数の変化によって超えられたという指示を識別するための方法がないことがあり、したがって、ＰＢＣＨベース周波数検出はトリガされないことがある。そのような場合、ネイバーセルＰＢＣＨ復号が、ターゲットセルとサービングセルとの間の大きいドップラー周波数差により失敗する可能性がある。たとえば、サービングセル周波数とネイバーセル周波数とが同期されないことがあり、セル再選択中のＰＢＣＨ失敗が、現在のサービングセルとターゲットセルとの間に大きい周波数差があるというインジケータとして、代わりに使用され得る。このトリガ特性が検出されると、ＰＢＣＨベース周波数仮定ソリューションが実行され得る。しかしながら、この場合、周波数仮定のグループがネイバーセルのＰＢＣＨ復号のためにすでに使用され、それらの周波数仮定がＰＢＣＨ復号失敗を生じたので、周波数トラッキング復元のためのＰＢＣＨベース周波数仮定ソリューションは、ＵＥ７０２のレンジを拡張する異なる周波数仮定に依拠し得る。この時点で、ＰＢＣＨベース誤差検出は、Ｎ個の異なる周波数仮定（たとえば、周波数仮定のセット７４２）を用いてスケジュールされる。次いで、トラッキング復元周波数７４６として使用されるべき周波数仮定が、エネルギーメトリック７４４に基づいて選択される（たとえば、最大エネルギーメトリック７４４が選択されるか、または複数の仮定が同様のエネルギーメトリックを有するとき、最も小さい絶対周波数をもつ１つが選択される）。どの周波数仮定もＣＲＣに合格しなかった場合、０Ｈｚがトラッキング復元周波数７４６として使用される。トラッキング復元周波数７４６が識別されると、ＦＴＬ７１０は、トラッキング復元周波数７４６に基づいてアクティブ化され得る。
【００７５】
[0085]図８〜図９を参照すると、説明を簡単にするために、方法が一連の行為として図示され説明されている。ただし、いくつかの行為は、１つまたは複数の態様によれば、本明細書で図示され説明される順序とは異なる順序で、および／または他の行為と同時に行われ得るので、本方法（およびそれに関係するさらなる方法）は行為の順序によって限定されないことを理解し、諒解されたい。たとえば、本方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００７６】
[0086]図８を参照すると、動作態様では、ＵＥ７０２（図７）などのＵＥは、ＰＢＣＨベース周波数誤差検出構成要素７２０によって、周波数トラッキングのための方法８００の一態様（たとえば、周波数トラッキング復元）を実行し得る。ＰＢＣＨベース周波数誤差検出構成要素７２０（図７）の様々な構成要素および／または副構成要素のうちのいずれか１つまたは複数が、方法８００を形成する各例示的なステップに関して本明細書で説明する態様を実施するために実行され得ることを理解されたい。
【００７７】
[0087]一態様では、ステップ８１０において、方法８００は、ワイヤレスチャネルの１つまたは複数の特性に基づいて、ＵＥにおけるＦＴＬのプルインレンジを超える周波数の変化を検出することを含み得る。たとえば、本明細書で説明するように、ＰＢＣＨベース周波数誤差検出構成要素７２０および／または検出器７３０（図７）は、ワイヤレスチャネルの１つまたは複数の特性（たとえば、特性タイプ７３４のうちの１つまたは複数）に基づいて、ＵＥ７０２におけるＦＴＬ７１０のプルインレンジを超える周波数の変化を検出し得る。一態様では、１つまたは複数の特性タイプ７３４は、ＦＴＬ７１０によって測定された瞬時周波数誤差変化と、ＵＥ７０２が２つのスタッガード基準シンボルからのチャネル推定値を組み合わせたときのデスタッガードチャネル推定値のイメージピーク（たとえば、大きいイメージピーク）と、同期シーケンスによって検出された周波数誤差と、基準信号間の相関または時間的に離れた同期信号に起因する位相変化とを含み得る。たとえば、一態様では、時間トラッキングループ（ＴＴＬ）は、瞬時周波数誤差がしきい値を超えたか、またはダウンリンクタイミングがドリフトし続ける場合、ＰＢＣＨベース検出がトリガされ得るように、チャネル推定値によって、含まれているチャネルエネルギーをトラッキングし得る。一態様では、タイミングドリフトを検出することは、チャネル推定値の大きいイメージピークを急速にキャプチャすることが可能であるタイミング推定器（たとえば、ワンショットＴＴＬ）の瞬時タイミング跳躍を検査することによって、実行され得る。このタイミング跳躍がしきい値（たとえば、しきい値７３２）よりも大きい場合、ＰＢＣＨ７７２ベース周波数推定をトリガする。言い換えれば、大きい周波数誤差は、タイミング推定器によってキャプチャされ、タイミング跳躍を生じる、大きいイメージピークに対応する。別の態様では、タイミングドリフトを検出することは、チャネル推定値に依拠しない別のタイミング推定器のタイミング推定値と、チャネル推定値を使用するタイミング推定器によってトラッキングされたタイミングとを比較することによって、実行され得る。その差がしきい値（たとえば、しきい値７３２）よりも大きい場合、ＰＢＣＨ７７２ベース周波数推定をトリガする。たとえば、２つのタイミング推定器があり、一方は周波数誤差に敏感であり（デスタッガードチャネル推定に基づく広帯域ＴＴＬ）、他方は敏感でない（デスタッガードチャネル推定に基づかない狭帯域シンクロナイザ／探索器）。したがって、２つのタイミング推定器間のΔがしきい値よりも大きい場合、大きい周波数誤差が存在し、したがって、ＰＢＣＨ７７２が大きい周波数誤差のためにトリガされる。
【００７８】
[0088]さらに、たとえば、ＵＥ７０２は、周波数の変化が検出されたとき、オフラインアイドルモードＤＲＸスリープ、オンラインアイドルモードＤＲＸスリープ、またはセルハンドオーバ動作において動作していることがある。たとえば、瞬時周波数誤差絶対値がしきい値を超えたとき、ＵＥ７０２がオフラインアイドルモードＤＲＸスリープ中である事例では、ＰＢＣＨベース周波数誤差検出構成要素７２０は、ＦＴＬ７１０をそれの現在の状態においてフリーズさせるようにさらに構成され得る。ＦＴＬ７１０は、ＰＢＣＨベース周波数誤差検出構成要素７２０が、ＰＢＣＨ７７２を復号することを終了し、ＦＴＬ７１０が更新されるまで、フリーズされ続ける。その上、ＰＢＣＨサンプル中の周波数誤差は、ＦＴＬ７１０がＰＢＣＨ周波数推定値によって更新される瞬間におけるＦＴＬ７１０状態に整合および一致している必要がある。さらに、ＰＢＣＨベース周波数誤差検出構成要素７２０は、オフラインアイドルモードＤＲＸスリープからＵＥ７０２を起動し、その後ＵＥ７０２をスリープに戻し、オンラインアイドルモードＤＲＸにおいてＵＥ７０２を起動し、オンラインアイドルモードＤＲＸにおいて、トラッキング復元周波数７４６の識別と、トラッキング復元周波数７４６を用いてＦＴＬ７１０を更新することとを実行し得る。
【００７９】
[0089]その上、たとえば、周波数の変化が検出されたときにＵＥ７０２がセル再選択動作中である場合、ＵＥ７０２および／またはＰＢＣＨベース周波数誤差検出構成要素７２０は、周波数の検出された変化として、ネイバーセル（たとえば、ネットワークエンティティ７０４および／または７０６）のＰＢＣＨ７７２復号における失敗を識別するように構成され得る。さらに、ＵＥ７０２および／またはＰＢＣＨベース周波数誤差検出構成要素７２０は、ネイバーセルの失敗したＰＢＣＨ７７２復号において使用された周波数仮定を除いた周波数仮定のセット７４２を識別するか、またはネイバーセルのＰＢＣＨ７７２復号がそれについて成功したセットから、１つまたは複数の周波数仮定７４２を識別し得る。その結果、ＵＥ７０２および／またはＰＢＣＨベース周波数誤差検出構成要素７２０は、１つまたは複数の周波数仮定から周波数仮定を選択し得、ここにおいて、周波数仮定は、トラッキング復元周波数７４６として使用される。
【００８０】
[0090]さらに、ステップ８２０において、方法８００は、周波数の変化が検出されたことに応答して、トラッキング復元周波数を識別することを含み得、ここにおいて、トラッキング復元周波数は、周波数仮定のセットから識別され、ここにおいて、トラッキング復元周波数は、ＵＥによって受信されたＰＢＣＨの復号に基づいて識別される。たとえば、本明細書で説明するように、ＰＢＣＨベース周波数誤差検出構成要素７２０および／または周波数識別器７４０（図７）は、周波数の変化が検出されたことに応答して、トラッキング復元周波数７４６を識別し得、ここにおいて、トラッキング復元周波数７４６は、周波数仮定のセット７４２から識別され、ここにおいて、トラッキング復元周波数７４６は、ＵＥ７０２によって受信されたＰＢＣＨ７７２の復号に基づいて識別される。一事例では、たとえば、トラッキング復元周波数を識別することは、ＵＥ７０２の（１つまたは複数の動作状態７６０のうちの）動作状態のための周波数仮定のセット７４２を識別することと、セットからの周波数仮定７４２のいずれも、成功したＰＢＣＨ７７２復号をもたらさないと決定することと、トラッキング復元周波数７４６として、ゼロ（０）ヘルツを割り当てることとを含み得る。
【００８１】
[0091]ステップ８３０において、方法８００は、トラッキング復元周波数を用いてＦＴＬを更新することを含み得る。たとえば、本明細書で説明するように、ＰＢＣＨベース周波数誤差検出構成要素７２０および／またはＦＴＬアップデータ７５０（図７）は、トラッキング復元周波数７４６を用いてＦＴＬ７１０（図７）を更新し得る。いくつかの事例では、たとえば、トラッキング復元周波数７４６を用いてＦＴＬ７１０を更新することは、ＵＥ７０２がネイバーセル（たとえば、ネットワークエンティティ７０４および／または７０６）に対して再選択した後に、トラッキング復元周波数７４６を用いてＦＴＬ７１０を初期化することを含む。
【００８２】
[0092]図９を参照すると、追加および／または代替動作態様では、ＵＥ７０２（図７）などのＵＥは、ＰＢＣＨベース周波数誤差検出構成要素７２０によって、方法９００周波数トラッキングの一態様（たとえば、周波数トラッキング復元）を実行し得る。ＰＢＣＨベース周波数誤差検出構成要素７２０（図７）の様々な構成要素および／または副構成要素のうちのいずれか１つまたは複数が、方法９００を形成する各例示的なステップに関して本明細書で説明する態様を実施するために実行され得ることを理解されたい。
【００８３】
[0093]一態様では、ステップ９１０において、方法９００は、ＵＥの動作状態に基づいて、周波数仮定のセットを識別することを含み得る。たとえば、本明細書で説明するように、ＰＢＣＨベース周波数誤差検出構成要素７２０および／または周波数識別器７４０（図７）は、ＵＥ７０２の動作状態７６０に基づいて、周波数仮定のセット７４２を識別し得る。ＵＥ７０２の動作状態７６０は、オフラインアイドルモードＤＲＸ、オンラインアイドルモードＤＲＸまたは接続モード、セルハンドオーバ、あるいはセル再選択のうちの１つであり得る。
【００８４】
[0094]別の態様では、ステップ９２０において、方法９００は、ＰＢＣＨ復号がそれについて成功したセットから、１つまたは複数の周波数仮定を識別することを含み得る。たとえば、本明細書で説明するように、ＰＢＣＨベース周波数誤差検出構成要素７２０および／または周波数識別器７４０（図７）は、（たとえば、ＰＢＣＨデコーダ７７０による）ＰＢＣＨ復号がそれについて成功した周波数仮定のセット７４２から、１つまたは複数の周波数仮定を識別し得る。周波数仮定のセット７４２からの１つまたは複数の周波数仮定は、周波数仮定のセット７４２のサブセットと呼ばれることがあり、ここで、周波数仮定のセット７４２は、Ｎ個の異なる周波数仮定を含む。一態様では、たとえば、ＰＢＣＨ復号は、復号されたＰＢＣＨ７７２が巡回冗長検査に合格したときに成功である。
【００８５】
[0095]さらに、ステップ９３０において、方法９００は、１つまたは複数の周波数仮定から周波数仮定を選択することを含み得、ここにおいて、周波数仮定は、トラッキング復元周波数として使用される。たとえば、本明細書で説明するように、ＰＢＣＨベース周波数誤差検出構成要素７２０および／または周波数識別器７４０（図７）は、１つまたは複数の周波数仮定（周波数仮定のセット７４２のサブセット）から周波数仮定を選択し得、ここにおいて、周波数仮定は、トラッキング復元周波数７４６として使用される。一態様では、周波数仮定７４２を選択することは、１つまたは複数の周波数仮定７４２の各々のためのエネルギーメトリックを決定することと、１つまたは複数の周波数仮定７４２のうちの周波数仮定として、１つまたは複数の周波数仮定７４２の各々のための決定されたエネルギーメトリックの最大エネルギーメトリックをもつ１つを選択することとを含む。別の態様では、周波数仮定を選択することは、１つまたは複数の周波数仮定７４２の各々のためのエネルギーメトリックを決定することと、１つまたは複数の周波数仮定７４２のうちの２つまたはそれ以上の周波数仮定が、実質的に同様であるエネルギーメトリックを有するとき、周波数仮定として、２つまたはそれ以上の周波数仮定のうちの最も小さい絶対周波数をもつ１つの周波数仮定を選択することとを含む。
【００８６】
[0096]図１０を参照すると、データフロー１０００は、本開示の一態様による、例示的な装置１０１８中の異なるモジュール／手段／構成要素間の例示的なフローを示している。本装置は、図７のＰＢＣＨベース周波数誤差検出構成要素７２０を含むＵＥ７０２など、ＵＥであり得る。装置１０１８は、ネットワークエンティティ１０５０からの様々な信号（たとえば、それぞれのキャリア周波数をもつキャリア）とチャネル（たとえば、ＰＢＣＨ）とを含むワイヤレス情報１００２を受信するための受信モジュール１００４を含む。他の態様では、ネットワークエンティティ１０５０は代替的にセルと呼ばれることがあり、ＵＥは、そのセルとＲＲＣ接続状態を維持する。その上、ネットワークエンティティ１０５０は、代替的に基地局と呼ばれることがある。さらに、装置１０１８は、周波数１０２２をトラッキングするためのＦＴＬモジュール１００６を含み得る。ＦＴＬモジュール１００６は、たとえば、位相ロックループ（ＰＬＬ）および／または周波数ロックループ（ＦＬＬ）動作に基づき得る。
【００８７】
[0097]さらに、装置１０１８は、周波数１０２４変化が、情報１０２８を介して受信されたＦＴＬモジュール１００６のプルインレンジを超えたことを検出するための検出モジュール１００８を含み得る。装置１０１８は、ＰＢＣＨ復号演算に基づいて、トラッキング復元のために使用されるべき周波数１０２６および１０３０を識別するための周波数識別モジュール１０１０、ならびに周波数識別モジュール１０１０によって識別されたトラッキング復元周波数１０３４を用いてＦＴＬモジュール１００６を更新するためのＦＴＬ更新モジュール１０１２をさらに含み得る。その上、送信モジュール１０１４は、ネットワークエンティティ１０５０を含む１つまたは複数のネットワークエンティティに１つまたは複数の通信１０１６を送り／送信し得る。
【００８８】
[0098]本装置は、図８および図９の上述の流れ図中のプロセスのステップの各々を実行する追加のモジュールを含み得る。したがって、図８および図９の上述の流れ図中の各ステップまたはブロックは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８９】
[0099]図１１は、処理システム１１１４を採用する装置１１０１のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４、構成要素１１２６、１１２８、１１３２、１１３６、１１４０、１１４４、およびコンピュータ可読媒体１１０６によって表される、１つまたは複数のプロセッサおよび／またはハードウェア構成要素を含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００９０】
[00100]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたとき、処理システム１１１４に、特定の装置のための上記で説明した様々な機能を実施させる。コンピュータ可読媒体１１０６はまた、ソフトウェアを実行するときにプロセッサ１１０４によって操作されるデータを記憶するために使用され得る。
【００９１】
[00101]処理システムは、ＰＢＣＨベース周波数誤差検出構成要素７２０（図７）の機能を実行するように構成され得る、構成要素１１２６、１１２８、１１３２、１１３６、１１４０、および１１４４のうちの少なくとも１つをさらに含む。構成要素は、コンピュータ可読媒体１１０６中に常駐する／記憶された、プロセッサ１１０４中で動作するソフトウェア構成要素であるか、プロセッサ１１０４に結合された１つまたは複数のハードウェア構成要素であるか、またはそれらの何らかの組合せであり得る。さらに、送信構成要素１１４４は、トランシーバ１１１０とともに動作し得るか、またはトランシーバ１１１０の一部であり得る。処理システム１１１４は、ＵＥ６５０（図６）の構成要素であり得、メモリ６６０、および／またはＴＸプロセッサ６６８と、ＲＸプロセッサ６５６と、コントローラ／プロセッサ６５９とのうちの少なくとも１つを含み得る。他の態様では、処理システム１１１４は、ＰＢＣＨベース周波数誤差検出構成要素７２０を含むＵＥ７０２（図７）の構成要素であり得る。
【００９２】
[00102]開示したプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９３】
[00103]以上の説明は、本明細書で説明した様々な態様を当業者が実施できるようにするために与えられた。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後で知られることになる、本開示全体にわたって説明した様々な態様の要素のすべての構造的および機能的均等物は、参照により本明細書に明確に組み込まれ、特許請求の範囲によって包含されるものとする。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）における周波数トラッキングのための方法であって、
ワイヤレスチャネルの１つまたは複数の特性に基づいて、前記ＵＥの周波数トラッキングループ（ＦＴＬ）のプルインレンジを超える周波数の変化を検出することと、
周波数の前記変化が検出されたことに応答して、トラッキング復元周波数を識別することと、ここにおいて、前記トラッキング復元周波数が、周波数仮定のセットから識別され、前記ＵＥによって受信された物理ブロードキャストチャネル（ＰＢＣＨ）の復号に基づく、
前記トラッキング復元周波数を用いて前記ＦＴＬを更新することと
を備える、方法。
［Ｃ２］
周波数の前記変化を検出することは、周波数の前記変化が、それぞれのしきい値を超えたことを検出することを含む、Ｃ１に記載の方法。
［Ｃ３］
周波数の変化を検出することは、周波数の前記変化が、前記ＵＥの前記ＦＴＬの前記プルインレンジを超えたことを示す２つ以上の特性を検出することを含む、Ｃ１に記載の方法。
［Ｃ４］
２つ以上の特性を検出することは、前記２つ以上の特性の各々が、それぞれのしきい値を超えたことを検出することを含む、Ｃ３に記載の方法。
［Ｃ５］
前記１つまたは複数の特性が、
前記ＦＴＬによって測定された瞬時周波数誤差変化、
前記ＵＥが２つのスタッガード基準シンボルからのチャネル推定値を組み合わせたときのデスタッガードチャネル推定値のイメージピーク、
同期シーケンスによって検出された周波数誤差、または
基準信号間の相関もしくは時間的に離れた同期信号に起因する位相変化、あるいはそれらの任意の組合せを含む、Ｃ１に記載の方法。
［Ｃ６］
前記セットにおける周波数仮定の数、および前記セットにおける周波数仮定間の間隔が、前記ＵＥの動作状態に基づく、Ｃ１に記載の方法。
［Ｃ７］
トラッキング復元周波数を識別することは、
前記ＵＥの動作状態に基づいて、周波数仮定の前記セットを識別することと、
ＰＢＣＨ復号がそれについて成功した前記セットから、１つまたは複数の周波数仮定を識別することと、
前記１つまたは複数の周波数仮定から周波数仮定を選択することと、ここにおいて、選択された前記周波数仮定が、前記トラッキング復元周波数として使用される、を含む、Ｃ１に記載の方法。
［Ｃ８］
前記ＵＥの前記動作状態が、
オフラインアイドルモード間欠受信（ＤＲＸ）、
オンラインアイドルモードＤＲＸまたは接続モード、
セルハンドオーバ、あるいは
セル再選択のうちの１つである、Ｃ７に記載の方法。
［Ｃ９］
周波数仮定を選択することが、
前記１つまたは複数の周波数仮定の各々のためのエネルギーメトリックを決定することと、
前記１つまたは複数の周波数仮定のうちの前記周波数仮定として、前記１つまたは複数の周波数仮定の各々のための前記決定されたエネルギーメトリックの最大エネルギーメトリックをもつ１つを選択することとを含む、Ｃ７に記載の方法。
［Ｃ１０］
周波数仮定を選択することが、
前記１つまたは複数の周波数仮定の各々のためのエネルギーメトリックを決定することと、
前記１つまたは複数の周波数仮定のうちの２つまたはそれ以上の周波数仮定が、実質的に同様であるエネルギーメトリックを有するとき、前記周波数仮定として、前記２つまたはそれ以上の周波数仮定のうちの最も小さい絶対周波数をもつ１つの周波数仮定を選択することとを含む、Ｃ７に記載の方法。
［Ｃ１１］
ＰＢＣＨ復号は、復号された前記ＰＢＣＨが巡回冗長検査に合格したときに成功である、Ｃ７に記載の方法。
［Ｃ１２］
トラッキング復元周波数を識別することが、
前記ＵＥの動作状態のための周波数仮定の前記セットを識別することと、
前記セットからの前記周波数仮定のいずれも、成功したＰＢＣＨ復号をもたらさないと決定することと、
前記トラッキング復元周波数として、ゼロ（０）ヘルツを割り当てることとを含む、Ｃ１に記載の方法。
［Ｃ１３］
前記ＵＥは、周波数の前記変化が検出されたとき、オフラインアイドルモード間欠受信（ＤＲＸ）スリープ中であり、前記方法は、
前記ＦＴＬをそれの現在の状態においてフリーズさせることと、
オフラインアイドルモードＤＲＸスリープから前記ＵＥを起動し、その後前記ＵＥをスリープに戻すことと、
オンラインアイドルモードＤＲＸにおいて前記ＵＥを起動することと、
オンラインアイドルモードＤＲＸにおいて、前記トラッキング復元周波数の前記識別と、前記トラッキング復元周波数を用いて前記ＦＴＬを更新することとを実行することとをさらに備える、Ｃ１に記載の方法。
［Ｃ１４］
前記ＵＥは、周波数の前記変化が検出されたとき、オンラインアイドルモード間欠受信（ＤＲＸ）スリープ中である、Ｃ１に記載の方法。
［Ｃ１５］
前記ＵＥは、周波数の前記変化が検出されたとき、セルハンドオーバ動作中である、Ｃ１に記載の方法。
［Ｃ１６］
前記ＵＥは、周波数の前記変化が検出されたとき、セル再選択動作中であり、前記方法は、
周波数の前記検出された変化として、ネイバーセルのＰＢＣＨ復号における失敗を識別することと、
前記ネイバーセルの前記失敗したＰＢＣＨ復号において使用された前記周波数仮定を除いた周波数仮定のセットを識別することと、
前記ネイバーセルのＰＢＣＨ復号がそれについて成功した前記セットから、１つまたは複数の周波数仮定を識別することと、
前記１つまたは複数の周波数仮定から周波数仮定を選択することと、ここにおいて、前記周波数仮定が、前記トラッキング復元周波数として使用され、ここにおいて、前記トラッキング復元周波数を用いて前記ＦＴＬを更新することは、前記ＵＥが前記ネイバーセルに対して再選択した後に、前記トラッキング復元周波数を用いて前記ＦＴＬを初期化することを含む、をさらに備える、Ｃ１に記載の方法。
［Ｃ１７］
ユーザ機器（ＵＥ）における周波数トラッキングのための装置であって、
前記ＵＥの周波数トラッキングループ（ＦＴＬ）のプルインレンジを超える周波数の変化を検出するように構成された検出器と、
周波数の前記変化が検出されたことに応答して、トラッキング復元周波数を識別するように構成された周波数識別器と、ここにおいて、前記トラッキング復元周波数が、周波数仮定のセットから識別され、前記ＵＥによって受信された物理ブロードキャストチャネル（ＰＢＣＨ）の復号に基づく、
前記トラッキング復元周波数を用いて前記ＦＴＬを更新するように構成されたＦＴＬアップデータと
を備える、装置。
［Ｃ１８］
前記検出器は、周波数の前記変化が、それぞれのしきい値を超えたことを検出するようにさらに構成された、Ｃ１７に記載の装置。
［Ｃ１９］
前記検出器は、
周波数の前記変化が、前記ＵＥの前記ＦＴＬの前記プルインレンジを超えたことを示す２つ以上の特性を検出することと、
前記２つ以上の特性の各々が、それぞれのしきい値を超えたことを検出することと
を行うようにさらに構成された、Ｃ１７に記載の装置。
［Ｃ２０］
前記１つまたは複数の特性が、
前記ＦＴＬによって測定された瞬時周波数誤差変化、
前記ＵＥが２つのスタッガード基準シンボルからのチャネル推定値を組み合わせたときのデスタッガードチャネル推定値のイメージピーク、
同期シーケンスによって検出された周波数誤差、または
基準信号間の相関もしくは時間的に離れた同期信号に起因する位相変化、あるいはそれらの任意の組合せを含む、Ｃ１７に記載の装置。
［Ｃ２１］
前記セットにおける周波数仮定の数、および前記セットにおける周波数仮定間の間隔が、前記ＵＥの動作状態に基づく、Ｃ１７に記載の装置。
［Ｃ２２］
前記周波数識別器は、
前記ＵＥの動作状態に基づいて、周波数仮定の前記セットを識別することと、
ＰＢＣＨ復号がそれについて成功した前記セットから、１つまたは複数の周波数仮定を識別することと、
前記１つまたは複数の周波数仮定から周波数仮定を選択することと、ここにおいて、選択された前記周波数仮定が、前記トラッキング復元周波数として使用される、を行うようにさらに構成された、Ｃ１７に記載の装置。
［Ｃ２３］
前記ＵＥの前記動作状態が、
オフラインアイドルモード間欠受信（ＤＲＸ）、
オンラインアイドルモードＤＲＸまたは接続モード、
セルハンドオーバ、あるいは
セル再選択のうちの１つである、Ｃ２２に記載の装置。
［Ｃ２４］
前記周波数識別器が、
前記１つまたは複数の周波数仮定の各々のためのエネルギーメトリックを決定することと、
前記１つまたは複数の周波数仮定のうちの前記周波数仮定として、前記１つまたは複数の周波数仮定の各々のための前記決定されたエネルギーメトリックの最大エネルギーメトリックをもつ１つを選択することとを行うようにさらに構成された、Ｃ２２に記載の装置。
［Ｃ２５］
前記周波数識別器は、
前記１つまたは複数の周波数仮定の各々のためのエネルギーメトリックを決定することと、
前記１つまたは複数の周波数仮定のうちの２つまたはそれ以上の周波数仮定が、実質的に同様であるエネルギーメトリックを有するとき、前記周波数仮定として、前記２つまたはそれ以上の周波数仮定のうちの最も小さい絶対周波数をもつ１つの周波数仮定を選択することとを行うようにさらに構成された、Ｃ２２に記載の装置。
［Ｃ２６］
前記周波数識別器が、
前記ＵＥの動作状態のための周波数仮定の前記セットを識別することと、
前記セットからの前記周波数仮定のいずれも、成功したＰＢＣＨ復号をもたらさないと決定することと、
前記トラッキング復元周波数として、ゼロ（０）ヘルツを割り当てることとを行うようにさらに構成された、Ｃ１７に記載の装置。
［Ｃ２７］
前記ＵＥは、周波数の前記変化が検出されたとき、オフラインアイドルモード間欠受信（ＤＲＸ）スリープ中であり、ここにおいて、ＰＢＣＨベース周波数誤差検出構成要素は、
前記ＦＴＬをそれの現在の状態においてフリーズさせることと、
オフラインアイドルモードＤＲＸスリープから前記ＵＥを起動し、その後前記ＵＥをスリープに戻すことと、
オンラインアイドルモードＤＲＸにおいて前記ＵＥを起動することと、
オンラインアイドルモードＤＲＸにおいて、前記トラッキング復元周波数の前記識別と、前記トラッキング復元周波数を用いて前記ＦＴＬを更新することとを実行することとを行うように構成された、Ｃ１７に記載の装置。
［Ｃ２８］
前記ＵＥは、周波数の前記変化が検出されたとき、セル再選択動作中であり、ここにおいて、ＰＢＣＨベース周波数誤差検出構成要素は、
周波数の前記検出された変化として、ネイバーセルのＰＢＣＨ復号における失敗を識別することと、
前記ネイバーセルの前記失敗したＰＢＣＨ復号において使用された前記周波数仮定を除いた周波数仮定のセットを識別することと、
前記ネイバーセルのＰＢＣＨ復号がそれについて成功した前記セットから、１つまたは複数の周波数仮定を識別することと、
前記１つまたは複数の周波数仮定から周波数仮定を選択することと、ここにおいて、前記周波数仮定が、前記トラッキング復元周波数として使用され、ここにおいて、前記トラッキング復元周波数を用いて前記ＦＴＬを更新することは、前記ＵＥが前記ネイバーセルに対して再選択した後に、前記トラッキング復元周波数を用いて前記ＦＴＬを初期化することを含む、を行うように構成された、Ｃ１７に記載の装置。
［Ｃ２９］
ユーザ機器（ＵＥ）における周波数トラッキングのための装置であって、
前記ＵＥの周波数トラッキングループ（ＦＴＬ）のプルインレンジを超える周波数の変化を検出するための手段と、
周波数の前記変化が検出されたことに応答して、トラッキング復元周波数を識別するための手段と、ここにおいて、前記トラッキング復元周波数が、周波数仮定のセットから識別され、前記ＵＥによって受信された物理ブロードキャストチャネル（ＰＢＣＨ）の復号に基づく、
前記トラッキング復元周波数を用いて前記ＦＴＬを更新するための手段と
を備える、装置。
［Ｃ３０］
ユーザ機器（ＵＥ）における周波数トラッキングのためのコンピュータ実行可能コードを記憶するコンピュータ可読媒体であって、
前記ＵＥの周波数トラッキングループ（ＦＴＬ）のプルインレンジを超える周波数の変化を検出するためのコードと、
周波数の前記変化が検出されたことに応答して、トラッキング復元周波数を識別するためのコードと、ここにおいて、前記トラッキング復元周波数が、周波数仮定のセットから識別され、前記ＵＥによって受信された物理ブロードキャストチャネル（ＰＢＣＨ）の復号に基づく、
前記トラッキング復元周波数を用いて前記ＦＴＬを更新するためのコードと
を備える、コンピュータ可読媒体。
【図１】
0006530055.tif 000002
【図２】
0006530055.tif 000003
【図３】
0006530055.tif 000004
【図４】
0006530055.tif 000005
【図５】
0006530055.tif 000006
【図６】
0006530055.tif 000007
【図７】
0006530055.tif 000008
【図８】
0006530055.tif 000009
【図９】
0006530055.tif 000010
【図１０】
0006530055.tif 000011
【図１１】
0006530055.tif 000012